(57)【要約】【課題】従来のシステムは手順が煩雑で、かつ利用料金不要でも，出庫時，駐車券をゲートに挿入の要がありスムーズな出庫を妨げる。併せて併せて他方法は利用者の事前登録を要し、複数回の駐車場利用や物品購入による利用者特定が店舗側で可能で匿名性が得られない。【解決手段】駐車場への入庫時に車両一時識別子と利用者一時識別子を一時識別子生成手段が生成し，駐車場の利用時間を車両一時識別子に関連付けて駐車場利用情報保持手段が保持し，利用者情報保持手段は駐車場利用料金に関連する情報を利用者一時識別子と対にして保持し，車両の出庫時に車両一時識別子からの駐車場利用時間と，利用者一時識別子からの駐車場利用料金関連情報から利用料金を清算情報生成手段が算出し、料金清算後ゲートをオープンし、かつ、利用料金を出庫ゲート制御手段へ送出後車両一時識別子と利用者一時識別子を破棄する。【選択図】        図１
2004240617.tif 000002
【特許請求の範囲】
【請求項１】
車両の駐車場への入庫時に車両一時識別子と利用者一時識別子を生成する一時識別子生成手段と，車両の駐車場の利用時間を前記車両一時識別子に関連付けて保持する駐車場利用情報保持手段と，
利用者の駐車場利用料金に関連する情報を前記利用者一時識別子と対にして保持する利用者情報保持手段と，
車両の駐車場からの出庫時に車両一時識別子から求めた駐車場利用時間と，利用者一時識別子から求めた駐車場利用料金に関連する情報とから利用料金を算出し、利用料金の清算が完了した時点で駐車場のゲートをオープンする出庫ゲート制御手段に利用料金を送出後車両一時識別子と利用者一時識別子を破棄する清算情報生成手段とを備えたことを特徴とする駐車場利用料金算出システム。
【請求項２】
車両の入庫時に前記一時識別子生成手段が生成した車両一時識別子を受信し，車両の出庫時に前記清算情報生成手段に対して車両一時識別子を送信し、かつこの受送信はその入出力データを秘匿して行う車両に搭載された車載装置をさらに備えたことを特徴とする請求項１記載の駐車場利用料金算出システム。
【請求項３】
店舗に備えられ、利用者が店舗の利用に際して利用者の駐車場利用料金に関する情報が発生した際に，利用者一時識別子と利用者の駐車場利用料金に関する情報を前記利用者情報保持手段に送信する利用者一時識別子入力手段と
利用者が携行可能であり、車両の入庫時に前記一時識別子生成手段が生成した利用者一時識別子を保持し、店舗の利用に際して利用者の駐車場利用料金に関する情報が発生した際に，前記利用者一時識別子入力手段に対して利用者一時識別子を送出する利用者携帯器とをさらに備えたことを特徴とする請求項１または２に記載の駐車場利用料金算出システム。
【請求項４】
前記利用者携帯器は磁気媒体で形成され，車両の入庫の際に，前記一時識別子生成手段からの利用者一時識別子は磁力により記録され、前記店舗の利用者一時識別子入力手段へ磁力により利用者一時識別子を送出する構成にされたことを特徴とする請求項３記載の駐車場利用料金算出システム。
【請求項５】
前記利用者携帯器は極近距離無線通信手段を備えた携帯端末装置で形成され，車両の入庫の際に，前記一時識別子生成手段からの利用者一時識別子は極近距離無線通信手段により通知され，店舗の利用者一時識別子入力手段に極近距離無線通信手段により利用者一時識別子を出力する構成にされたことを特徴とする請求項３記載の駐車場利用料金算出システム。
【請求項６】
前記車載装置は，前記一時識別子生成手段からの利用者一時識別子をさらに受信し，前記利用者携帯器は極近距離無線通信手段を備えた携帯端末装置で形成され，利用者一時識別子を前記車載装置から受信する構成にされたことを特徴とする請求項３記載の駐車場利用料金算出システム。
【請求項７】
前記出庫ゲート制御手段は、前記清算情報生成手段の出力する利用料金が０円以下であることを入力した場合は、ゲートをオープンする構成にされたことを特徴とする請求項２乃至６の何れか一に記載の駐車場利用料金算出システム。
【発明の詳細な説明】
【０００１】
【発明の属する技術分野】
本発明は，駐車場の利用料金の算出システムであって，デパートやショッピングモール等の店舗での利用額に応じて割引される駐車場利用料金を算出するシステムに関する。
【０００２】
【従来の技術】
デパートやショッピングモール等の店舗に併設された駐車場の利用においては利用者が支払う利用料金の算出方法として，駐車場の利用時間に応じた利用料金と，駐車場を管理又は駐車場と提携した店舗での利用額に応じた割引とから求める方法がある。駐車場の利用時間に応じた利用料金とは，例えば，利用３０分毎に一定の金額を積算するものがあり，また店舗での利用金額に応じた割引とは，例えば，店舗での物品購入などの支払い金額が２０００円以上であれば，駐車場利用が２時間無料などである。このような場合，利用者が２０００円以上の物品購入を行い，駐車場利用時間が２時間以内であれば，利用３０分毎に積算される駐車料金が無料となる。
【０００３】
このような割引は店舗またはショッピングモール等店舗集合体における利用者に対する，物品購入額に見合った時間の駐車場利用料金を無料にする店舗側のサービスである。
このような方式の利用料金算出方法として，駐車場入庫時に駐車場入庫時間を入力した駐車券と呼ぶ磁気媒体を発行し，利用者がこの駐車券を携行して，物品購入時に店舗販売員に提示し、店舗販売員が支払い料金に応じた無料利用時間を駐車券に入力，駐車場出庫時に利用者が清算機に駐車券を投入して，入庫時間，出庫時間，無料利用時間とから，実際の利用料金を算出する方法がある。また支払い料金に応じた無料利用時間を駐車券に入力する代わりに，無料時間に相当する駐車場利用券を発行する方法もあり，この場合、利用料金は入庫時間と出庫時間から算出され，これに対する利用料金支払いの際に，この駐車場利用券を充当することになる。
【０００４】
このような従来の利用料金の算出方法において，同一店舗の複数箇所，または複数店舗の複数箇所で支払いを行って，単一箇所の支払いでは駐車場利用料金の割引対象とならない場合であっても，その合計金額であれば割引の対象となる場合には，利用者が複数の箇所で発行された領収書を保持し，最終的に割引対象となる額までの領収書を得た時点で，駐車券への無料利用時間入力を依頼する方法になっている。  また駐車券に各箇所での支払い金額を入力し，利用者がその都度領収書を保持しなくとも複数箇所での支払い金額の積算額で割引を受けるような方法もある。
このような駐車券による利用料金の算出は個々の利用者の事前登録を要しないという特徴がある。
【０００５】
またここまでに説明したような駐車場利用料金算出方法を電子化し，さらに，駐車場の入庫時，出庫時，及び物品購入の支払い時に，利用者を特定する認証データをシステムに入力することで，複数箇所での物品購入のための支払いに応じた駐車料金の割引を含めた駐車場利用料金の算出に加えて，利用料金の決済機関による電子決済を行う方法が，特開２００１−２８３２７１号公報に述べられている。
【０００６】
この方法は，駐車場の入庫時間，物品購入の支払いによる駐車場の割引額を示す利用情報，および駐車場の出庫時間とを，事前にシステムに登録した本人認証が可能な認証データと対にして記憶し，駐車場からの出庫時に，認証データと対にして記憶された上記情報を勘案し利用料金を求めて電子決済することで，キャッシュレスで支払いを行うものである。
【０００７】
【特許文献１】
特開２００１−２８３２７１号公報
【０００８】
【発明が解決しようとする課題】
以上のような駐車場利用料金の算出方法では、利用者の物品購入時の支払いが複数箇所に及ぶ場合，別々に発行された複数枚の領収書を，割引対象となる金額の支払いが完了するまで、利用者が保持しなければならず，店舗側にとっても，領収書を目視にて積算し割引対象金額であるか否かを判別した上で，磁気カードへの割引入力，または駐車場利用券の発行を行う必要があり，手順が煩雑化していた。
【０００９】
また、駐車場の利用料金が物品購入支払いによる割引で，清算不要であっても，駐車場の出庫時に割引確認のため，駐車券を出庫ゲートに挿入する必要があり，車両のスムーズな出庫を妨げる要因になっていた。
【００１０】
さらに、特開２００１−２８３２７１号公報では，例え電子決済を行わず，駐車場利用料金の算出だけを行う目的に限った場合であっても，駐車場入庫時間，駐車場出庫時間，物品購入時の支払額を，ひとつの認証データに対応して記憶するために，事前に個人を特定する認証データをシステムに登録し，同じ認証データを共通カードと呼ばれる媒体に格納して，利用者に配布する必要があった。このため，利用者は，共通カードの提示により、複数箇所での物品購入の支払いに応じた駐車料金の割引を含めた駐車場利用料金の算出という利便性を得ることができる。しかし反面、利用者の事前登録を要することにより，店舗側は同一利用者による複数回の駐車場利用及び物品購入支払いの特定が可能であり、匿名性を得られないという問題点があった。
【００１１】
本発明は，利用者の匿名性を維持した上で，複数箇所での支払いに応じた駐車料金の割引を含めた駐車場利用料金の算出を行うことを第一の目的とする。
また，車両の出庫時に店舗での割引額が駐車場利用料金に対し不足がない場合，出庫ゲートを自動的にオープンして，出庫ゲートにおける不要なカード提示による混雑を回避することを，第二の目的とする。
【００１２】
【課題を解決するための手段】
本発明に係る駐車場利用料金算出システムは、車両の駐車場への入庫時に車両一時識別子と利用者一時識別子を生成する一時識別子生成手段と，車両の駐車場の利用時間を前記車両一時識別子に関連付けて保持する駐車場利用情報保持手段と，
利用者の駐車場利用料金に関連する情報を利用者一時識別子と対にして保持する利用者情報保持手段と，
車両の駐車場からの出庫時に車両一時識別子から求めた駐車場利用時間と，利用者一時識別子から求めた駐車場利用料金に関連する情報とから利用料金を算出する清算情報生成手段と，
利用料金の清算が完了した時点でゲートをオープンする出庫ゲート制御手段とを備え，前記清算情報生成手段は算出した利用料金を前記出庫ゲート制御手段へ送出後車両一時識別子と利用者一時識別子を破棄する機能をも併せ持つ構成とされる。
【００１３】
【発明の実施の形態】
まず本発明を適用する駐車場利用料金システムの概要について説明する。利用者は，車両に乗車して駐車場を利用する。駐車場は，店舗または複数の店舗からなる店舗群（以降単に店舗と記載）の駐車場であり，入庫ゲート，出庫ゲート，駐車場利用料金の清算機を備える。利用者は，駐車場に車両を駐車して，店舗を利用する。駐車場利用料金は，一定時間毎に一定料金を加算して算出する。ただし店舗で物品購入などの支払い額に応じて駐車場利用料金の一定時間の無料化を行う。例えば駐車場利用に際して，２０分当たり１００円の利用料金が自動的に加算されるが，利用者が店舗で２０００円以上の物品購入を行うと，２時間分の駐車場利用が無料となるというような設定が可能である。駐車場利用料金の清算は現金を用いて行う。もちろん利用者が２０００円以上の物品購入をした場合でかつ，利用開始から２時間以内の出庫であれば，現金の支払いは不要である。
【００１４】
また別の駐車場利用料金システムとして，店舗での物品購入支払い１０００円毎に３０分の駐車場利用を利用を無料とする方法も適用可能である。この場合，２０００円の店舗での支払いを行うと，１時間の駐車場利用が無料となる。さらに店舗毎に駐車場利用を無料とする時間と支払額の割合を変化させる方法も適用可能である。
【００１５】
このような利用方法を可能とするため本発明の実施の形態では，駐車場入庫時から出庫時までの間に，車両を識別する車両一時識別子と，同じ利用者を一時的に識別する利用者一時識別子を生成し，これ等を対にして保持し，また車両一時識別子を車両に搭載した車載装置に割り付け，利用者一時識別子を利用者携帯器に割り付ける。車両の入庫時間を駐車場利用情報保持手段に車両一時識別子と対にして保持し，駐車場利用時間の算出は，出庫時に車載装置から得られる車両一時識別子から入庫時間を得る。また利用者が物品購入の支払い時に，利用者携帯器を提示することで，駐車場利用料金割引額などを示す利用者の駐車場利用料金に関連する情報を利用者情報保持手段に利用者一時識別子と対にして保持する。車両の出庫時に車載装置から得られる車両一時識別子と対になる利用者一時識別子を介して，駐車場利用料金に関する情報を得て，これと駐車場利用時間とから，駐車場利用料金を算出する。出庫時の駐車場利用料金の算出に必要な車両一時識別子は，車載装置から近距離無線通信により得る。算出した利用料金が無料となった場合，出庫ゲートが自動的にオープンする。利用料金に不足がある場合は，現金投入による清算を行うことで，出庫ゲートがオープンする。駐車場利用料金の算出が終わった時点で，保持していた車両一時識別子及び利用者一時識別子を破棄する。次回駐車場利用時には，同一の車両，同一の利用者の利用であっても，車両一時識別子及び利用者一時識別子を再生成する。
【００１６】
［実施の形態１］
以下、本発明の実施の形態１について詳述する。
図１は実施の形態１のシステム構成図である。システムは，利用者１００が携帯可能な利用者携帯器１０５，車両１０１に搭載された車載装置１０６，駐車場設備１０２，駐車場清算サーバ１０３，店舗設備１０４からなる。
利用者携帯器１０５は利用者が携行可能で、赤外線やＢｌｕｅｔｏｏｔｈなどの近距離通信手段とフラッシュメモリなどの書き換え可能な記憶手段を有するものであるか，非接触ＩＣカードまたは接触型磁気カードなどの通信手段と記憶手段を併せ持つ媒体である。
車載装置１０６は記憶手段と赤外線やＢｌｕｅｔｏｏｔｈなどの近距離通信手段を有し、記憶手段に車両一時識別子を保持し，近距離通信手段によって，利用者携帯器１０５に対して，利用者一時識別子を出力する。
駐車場設備１０２は駐車場に設置した設備であり，駐車場に入庫する車両の特定を行い，後述の駐車場清算サーバ１０３に対して駐車場利用料金の算出を依頼する。この駐車場設備１０２は、車両検出手段１１６、一時識別子出力手段１０７、車両一時識別子入力手段１０８、料金清算手段１１７、出庫ゲート制御手段１０９およびこれ等の各手段と車両１０１、駐車場清算サーバ１０３との間の信号の授受を行う近距離通信手段（図示せず）を備える。
駐車場清算サーバ１０３は駐車場と同じ，または別の場所に設置して駐車場の利用料金を算出する。この駐車場清算サーバ１０３は、一時識別子生成手段１１０，駐車場利用情報保持手段１１１、一時識別子保持手段１１２，清算情報生成手段１１３、利用者情報保持手段１１４およびこれ等の各手段と駐車場設備１０２，店舗設備１０４との間の信号の授受を行う近距離通信手段（図示せず）を備える。
店舗設備１０４は，店舗に設置され，利用者の物品購入などのよる駐車場利用料金割引の算出の元となる支払い料金などを入力する為の利用者一時識別子入力手段１１５および利用者携帯器１０５，駐車場清算サーバ１０３との間の信号の授受を行う近距離通信手段（図示せず）を備える。
【００１７】
ここで各構成物の接続について説明する。
利用者携帯器１０５は、車載装置１０６または駐車場設備１０２の一時識別子出力手段１０７と赤外線，Ｂｌｕｅｔｏｏｔｈなどの近距離通信手段，非接触ＩＣカードの極近距離通信手段，接触型磁気カードによる書き込み／読み出し手順などにより接続される。
【００１８】
車載装置１０６と駐車場設備１０２の一時識別子出力手段１０７または車両一時識別子入力手段１０８は夫々の通信手段により、ＤＳＲＣ（Ｄｅｄｉｃａｔｅｄ  Ｓｈｏｒｔ  Ｒａｎｇｅ  Ｃｏｍｍｕｎｉｃａｔｉｏｎ）や８０２．１１方式無線ＬＡＮなどの近距離通信により接続されるる。これら媒体上の通信はＳＳＬ（Ｓｅｃｕｒｅ  Ｓｏｃｋｅｔ  Ｌａｙｅｒ）などの暗号化通信手段により通信データの秘匿を保つものとする。
【００１９】
駐車場設備１０２と駐車場清算サーバ１０３との間，及び店頭設備１０４と駐車場清算サーバ１０３との間は，各通信手段によりＥｔｈｅｒｎｅｔ（登録商標），ＩＳＤＮなどのＬＡＮ型，ＷＡＮ型の通信媒体によって接続される。これら構成物間の通信は、秘匿が守れ，かつ装置間の接続距離の通信を満たすことのできる通信媒体であれば，有線，無線を問わず利用可能である。駐車場設備１０２と駐車場清算サーバ１０３との間とは，車両検出手段１１６と一時識別子生成手段１１０，一時識別子出力手段１０７と一時識別子生成手段１１０，車両一時識別子入力手段１０８と清算情報生成手段１１３，料金清算手段１１７と清算情報生成手段１１３のそれぞれの間を示しており，また，店舗設備１０４と駐車場清算サーバ１０３との間の接続とは，利用者一時識別子入力手段１１５と利用者情報保持手段１１４の間を示している。
【００２０】
次に本実施の形態１の動作について説明する。図２は，本実施の形態１の動作の流れの概要を示す。ステップＳ２０１は車両の駐車場への入庫処理である。ステップＳ２０２は利用者による店舗での物品購入時の支払い処理である。ステップＳ２０３は車両の駐車場からの出庫処理である。駐車場利用料金の算出は，駐車場の入庫から出庫までの間の時間による料金加算とその間に行われる利用者による物品購入時の支払い額に応じた無料利用時間とから行う。ステップＳ２０１の入庫からステップＳ２０３の出庫までの間，利用者は任意の回数のステップＳ２０２の物品購入時の支払いを実施可能である。場合によっては，利用者は物品購入を行わない場合もある。
【００２１】
以下、ステップＳ２０１からステップＳ２０３までの処理の詳細な流れを説明する。
図３は駐車場入庫処理（ステップＳ２０１）の詳細な流れを示し、図６は車両の入庫処理時における各装置間の通信メッセージと一時識別子の生成，伝達の流れを示した図である。
なお、図６において矢印はメッセージの送信を示し，矢印上にはメッセージ種別を，メッセージ種別の後のかっこ内はメッセージと合わせて送信するパラメータを示している。
【００２２】
本駐車場入庫処理の主たる目的は，車両出庫時に入庫した車両と出庫する車両とを一意に識別する車両一時識別子を生成し，車載装置１０６に格納すること，店舗で物品購入による支払いを行う利用者を，ステップＳ２０１からステップＳ２０３の間だけ一意に識別する利用者一時識別子を生成し、利用者携帯器１０５に格納すること，およびこれ等２つの一時識別子の対を生成することにある。併せて，駐車場利用情報保持手段１１１に，車両一時識別子と対に車両の駐車場入庫時間を保持する。
【００２３】
以下、図３および図６に沿って駐車場入庫処理（ステップＳ２０１）の詳細な流れを説明する。
ステップＳ３０１で，車両１０１の車載装置１０６が駐車場設備１０２を検出すると，車載装置１０６は駐車場設備１０２に対して入庫メッセージを送信する。駐車場設備１０２の車両検出手段１１６が車両１０１の入庫を認識すると，車両検出手段１１６は駐車場清算サーバ１０３の一時識別子生成手段１１０に対して一時識別子要求メッセージを送信する。
【００２４】
ステップＳ３０２で一時識別子生成手段１１０が車両一時識別子と利用者一時識別子の両一時識別子を生成し，生成した一時識別子を一時識別子保持手段１１２に保持する。
ステップＳ３０３で駐車場清算サーバ１０３は一時識別子要求メッセージの応答として，駐車場設備１０２の一時識別子出力手段１０７に対して一時識別子通知メッセージを送信する。  パラメータは車両一時識別子と利用者一時識別子である。
また、駐車場利用情報保持手段１１１に車両一時識別子と駐車場入庫時間を関連付けて保持する。
【００２５】
ステップＳ３０４で駐車場設備１０２の一時識別子出力手段１０７は受領した一時識別子通知メッセージ（車両一時識別子と利用者一時識別子）を車載装置１０６に対して送信する。
ステップＳ３０５で車載装置１０６が車両一時識別子と利用者一時識別子を保持する。利用者１００が携行する利用者携帯器１０５を操作して，車両１０１（車載装置１０６）に対して，一時識別子要求メッセージを送信すると，車載装置１０６は利用者１００（利用者携帯器１０５）に対して一時識別子通知メッセージを送信する。パラメータは利用者一時識別子である。
【００２６】
利用者携帯器１０５に対しての送信は，赤外線やＢｌｕｅｔｏｏｔｈなどの近距離通信手段によって，利用者一時識別子を出力する。利用者携帯器１０５は，これを保持する。
このメッセージ送信の後，車載装置１０６は利用者一時識別子を破棄して，車両一時識別子のみを保持する。
【００２７】
利用者携帯器１０５は車載装置１０６を介さずに近距離通信手段，極近距離通信手段，接触型書き込み／読み込み手段を通じて，一時識別子出力手段１０７から直接利用者一時識別子を受け取り，保持することもできる。この場合，ステップＳ３０４で一時識別子出力手段１０７は車載装置１０６に対して車両一時識別子を出力し，利用者携帯器１０５に対して利用者一時識別子を出力する。ステップＳ３０５は不要となる。
【００２８】
図４はステップＳ２０２の利用者による物品購入時の支払い処理の詳細な流れを、図７は利用者の物品購入時の支払い時の各装置間の通信メッセージと一時識別子の伝達の流れを示した図である。なお、図７で矢印はメッセージの送信を示し，矢印上にはメッセージ種別を，メッセージ種別の後のかっこ内はメッセージと合わせて送信するパラメータを示している。
【００２９】
本処理の主たる目的は，利用者情報保持手段１１４に，利用者一時識別子と対に，利用者の駐車場利用料金に関連する情報を保持することにある。利用者の駐車場利用料金に関連する情報とは，具体的に，入庫から出庫までの間における利用者の物品購入時の支払い金額の総額，または個別支払額の履歴である。また支払額に応じて駐車場の無料利用時間を変化させる場合や店舗毎に支払額に対する無料利用時間の率を変化させる場合は，駐車場利用料金に関する情報は，利用者に与える無料利用時間の総時間数か，物品購入毎に与えられる無料利用時間の履歴とする。
【００３０】
以下、図４および図７に沿って物品購入時の支払い処理（ステップＳ２０２）の詳細な流れを説明する。
ステップＳ４０１で利用者が物品購入を行うと，店舗のレジなどで支払いが発生する。ステップＳ４０２で利用者携帯器１０５から店舗設備１０４の利用者一時識別子入力手段１１５に対して一時識別子通知メッセージを送信する。パラメータは利用者一時識別子である。また例えばテンキーパッドなどにより物品購入時の支払額を入力することにより、利用者の駐車場利用料金に関する情報、即ち物品購入額に応じた駐車場利用料割引料等を利用者一時識別子入力手段１１５に入力する。
【００３１】
テンキーパッドへの入力は，運用上，店舗の係員が行う。またキャッシュレジスタ装置と連動して，自動的に支払額が利用者一時識別子入力手段１１５に対して入力されるようにしても良い。店舗設備１０４の利用者一時識別子入力手段１１５は，駐車場清算サーバ１０３に対して，利用者情報登録メッセージを送信する。パラメータは利用者一時識別子と駐車場利用料金に関する情報である。
【００３２】
ステップＳ４０３で，利用者一時識別子入力手段１１５から入力された利用者の駐車場利用料金に関する情報と利用者一時識別子を，駐車場清算サーバ１０３の利用者情報保持手段１１４に保持する。
【００３３】
図５はステップＳ２０３の駐車場からの車両の出庫処理の詳細な流れ図、図８は車両の出庫処理時における各装置間の通信メッセージと一時識別子の伝達，破棄の流れを示した図である。なお、図８で矢印はメッセージの送信を示し，矢印上にはメッセージ種別を，メッセージ種別の後のかっこ内はメッセージと合わせて送信するパラメータを示している。
本処理の主たる目的は，駐車場清算サーバ１０３の駐車場利用情報保持手段１１１から車両一時識別子を用いて得た駐車場入庫時間と，利用者情報保持手段１１４から利用者一時識別子を用いて得た利用者の駐車場利用料金に関連する情報とを清算情報生成手段１１３に入力して，駐車場利用時間と割引を積算した駐車場利用料金の算出を行うことと，割引が利用料金を上回って現金の精算が不要となった場合に，出庫ゲートを自動的にオープンし，利用者が駐車場設備を操作することなく出庫できるようにすることおよび駐車場利用料金の算出が終わり、出力した時点で車両と利用者を識別する車両一時識別子及び利用者一時識別子を破棄することである。
【００３４】
図５および図８に沿って車両の出庫処理（ステップＳ２０３）の詳細な流れを説明する。
ステップＳ５０１で車両１０１の出庫に伴う車両出庫要求を車載装置１０６が駐車場設備１０２の車両一時識別子入力手段１０８から発信される無線電波を検出して、駐車場設備１０２に対して出庫メッセージを送信し、駐車場設備１０２は車両出庫要求を認識する。出庫メッセージのパラメータは車両一時識別子である。ステップＳ５０２で駐車場設備１０２の車両一時識別子入力手段１０８は，メッセージを受信すると，駐車場清算サーバ１０３の清算情報生成手段１１３に対して清算要求メッセージを送信する。パラメータは車両一時識別子である。
ステップＳ５０３で清算情報生成手段１１３はメッセージを受信すると，車両一時識別子を用いて，一時識別子保持手段１１２から車両一時識別子に対応する利用者一時識別子を取得取得する。
ステップＳ５０４で清算情報生成手段１１３は，利用者一時識別子に対応する利用者の駐車場利用料金に関連する情報を利用者情報保持手段１１４から取得する。ステップＳ５０５で清算情報生成手段１１３は，車両一時識別子を用いて駐車場利用情報保持手段１１１から車両一時識別子に対応する駐車場入庫時間を取得して，これと現在時間とから車両の駐車場利用時間を算出する。
【００３５】
ステップＳ５０６で清算情報生成手段１１３は，駐車場利用に関連する情報と駐車場利用時間とから駐車場利用料金を算出する。清算情報生成手段１１３は，駐車場設備１０２の料金清算手段１１７に対して清算メッセージを送信する。パラメータは清算金額である。
清算情報生成手段１１３は駐車場利用料金算出のとき，駐車場利用に関連する情報の形式と無料利用時間の算出方法に合わせて演算を行う。駐車場利用に関連する情報の形式は，（Ａ）利用者の物品購入時の支払額の総額，（Ｂ）個別支払額の履歴，（Ｃ）利用者に与える無料利用時間の総時間数，（Ｄ）物品購入毎の無料利用時間の履歴などの場合がある。また駐車場利用料金は例えば２０分当たり１００円で駐車した時間だけの総額となる（課金の単位時間と単位金額は任意に決定することができる）。
【００３６】
無料利用時間の算出方法は，（ａ）利用者が店舗で２０００円以上の物品購入を行うと２時間分の駐車場利用が無料となるというような方法，（ｂ）１０００円支払い毎に３０分の駐車場利用を利用を無料とする方法などの場合がある（物品購入金額及び無料利用時間は任意に決定することができる）。ここで（Ａ）と（ａ）の組み合わせでは，店舗での支払い額の総額が２０００円以上である場合，実際の駐車場利用時間から２時間分を引いた時間が駐車場利用時間となり，この時間に課金単位時間をかけたものが駐車場利用料金となる。駐車場利用時間がマイナスになった場合，駐車場利用料金は０円となる。
【００３７】
ここまでで車両一時識別子及び利用者一時識別子が不要となったので，ステップＳ５０７で清算情報生成手段１１３が一時識別子保持手段１１０，駐車場利用情報保持手段１１１，利用者情報保持手段１１４に対して，車両一時識別子と利用者一時識別子とこれら一時識別子と対にして保持している利用者のプライバシーに関する情報を破棄する。
【００３８】
ステップＳ５０８で料金清算手段１１７はステップＳ５０６で算出した駐車場利用料金を入力し駐車場利用料金が０円である場合には，清算が不要であるので，出庫ゲート制御手段１０９に対し出庫ゲートオープンの信号を出力する。不足金がある場合は，ステップＳ５０９で料金清算手段１１７は利用者に対し現金の清算実施を要求し、清算が終了すると出庫ゲート制御手段１０９に対し出庫ゲートオープンの信号を出力する。ステップＳ５１０において出庫ゲート制御手段１０９が料金清算手段１１７からの信号で出庫ゲートをオープンする。
【００３９】
本清算システムは永続的な識別子を持たないため，出庫後の利用者と次回入庫の際の利用者との同一性を判定することができない。
本実施の形態では，不足金の清算手段を駐車場設備に対して現金投入することによったが，駐車場設備がクレジットカード決済機能を持つことでカード決済と組み合わせることが可能である。また車載装置及び駐車場設備がＥＴＣ（Ｅｌｅｃｔｒｏｎｉｃ  Ｔｏｌｌ  Ｃｏｌｌｅｃｔｉｏｎ）システムにあるような電子決済機能を持つことで，不足金の有無にかかわらず出庫ゲートを自動的にオープンすることが可能である。このような第三者決済機能と組み合わせる場合には，利用者は決済に必要な情報を開示しなければならない。
【００４０】
以上のように、本実施の形態によれば、会員登録などの事前登録作業を行うことなく，利用者の匿名性を維持した上で，利用者の物品購入時の支払いに応じた駐車料金の割引を含めた駐車場利用料金の算出を行うことが可能となり、また、利用者の物品購入時の支払いが複数箇所にわたっても，支払額に応じた駐車料金の割引を含めた駐車場利用料金の算出を行うことが可能となる
【００４１】
また、本実施の形態によれば，駐車場出庫時に清算が不要である場合を自動的に判別して，出庫ゲートをオープンすることができ，利用者は駐車場設備の操作などなく，駐車場を出庫することが可能となるという効果がある。
【００４２】
さらに、本実施の形態によれば，利用者携帯器として紙に磁気テープを添付した安価な媒体を利用することで，利用者は既存の磁気カード型の駐車券の利用方法と同様の方法で，支払額に応じた駐車料金の割引を含めた駐車場利用料金の算出を行うことが可能となるという効果がある。
【００４３】
さらにまた、本実施の形態によれば，利用者携帯器として携帯電話や非接触ＩＣカードを用いることで，利用者はひとつの携帯電話や非接触カードを保持して，別の店舗に併設された駐車場であっても，同様の利用方法で，支払額に応じた駐車料金の割引を含めた駐車場利用料金の算出を行うことが可能となるという効果がある。
【００４４】
【発明の効果】
本発明によれば，会員登録などの事前登録作業を行うことなく，利用者の匿名性を維持した上で，利用者の物品購入時の支払いに応じた駐車料金の割引を含めた駐車場利用料金の算出を行うことが可能となり、また利用者の物品購入時の支払いが複数箇所にわたっても，支払額に応じた駐車料金の割引を含めた駐車場利用料金の算出を行うことが可能となるという効果がある。
【００４５】
【図面の簡単な説明】
【図１】は本実施の形態のシステム構成図である。
【図２】本実施の形態の動作の流れ図である。
【図３】ステップＳ２０１の駐車場の入庫処理の詳細な流れ図である。
【図４】ステップＳ２０２の利用者による物品購入時の支払い処理の詳細な流れ図である。
【図５】図５はステップＳ２０３の駐車場からの車両の出庫処理の詳細な流れ図である。
【図６】車両の入庫処理時の各装置間の通信メッセージと一時識別子の生成，伝達の流れを示した図である。
【図７】図７は利用者の物品購入時の支払い時の各装置間の通信メッセージと一時識別子の伝達の流れを示した図である。
【図８】図８は車両の出庫処理時の各装置間の通信メッセージと一時識別子の伝達，破棄の流れを示した図である。
【符号の説明】
１００：利用者、１０１：車両、１０２：駐車場設備，１０３：駐車場清算サーバ，１０４：店舗設備、１０５：利用者携帯器，１０６：車載装置、１０７：一時識別子出力手段、１０８：車両一時識別子入力手段、１０９：出庫ゲート制御手段、１１０：一時識別子生成手段，１１１：駐車場利用情報保持手段、１１２：一時識別子保持手段，１１３：清算情報生成手段、１１４：利用者情報保持手段、１１５：利用者一時識別子入力手段，１１６：車両検出手段、１１７：料金清算手段。
【図１】
2004240617.tif 000003
【図２】
2004240617.tif 000004
【図３】
2004240617.tif 000005
【図４】
2004240617.tif 000006
【図５】
2004240617.tif 000007
【図６】
2004240617.tif 000008
【図７】
2004240617.tif 000009
【図８】
2004240617.tif 000010